(57)【要約】      （修正有）【課題】エネルギー集束型健康治療機器の提供。【解決手段】両端にそれぞれ空気吸入口１１および空気吐出口１２を設けたハウジング１３を備え、ハウジング１３内には送風手段１５、加熱手段１６および温度制御回路装置２３が設けられており、ハウジング１３の空気吐出口１２位置には中空のエアガイド１４が設けられ、エアガイド１４にはエネルギー集束手段１９および複数の排気口２１が設けられ、エアガイド１４内には更に温度センサ２２が設けられている。【選択図】図１
0003140703.tif 000002
【実用新案登録請求の範囲】
【請求項１】
両端にそれぞれ空気吸入口および空気吐出口を設けたハウジングと、
前記ハウジング内に取り付けられている送風手段および発熱手段と、
一端が前記空気吐出口の位置に設けられ、他端が患者の皮膚に密着する中空のエアガイドと、
前記エアガイド上に設けられているエネルギー集束手段と、を備え、
前記エアガイド上には排気口が設けられている、ことを特徴とするエネルギー集束型健康治療機器。
【請求項２】
前記エアガイドにおける患者の皮膚に近接する一端に温度センサが設けられており、対応する前記ハウジング内には前記センサに電気的に接続されている温度制御回路装置が設けられている、ことを特徴とする請求項１に記載のエネルギー集束型健康治療機器。
【請求項３】
前記温度制御回路装置が、前記送風手段および前記発熱手段に電気的に接続されるとともに、前記温度センサが検出した温度に基づいて、前記送風手段および前記発熱手段の電力を調節する、ことを特徴とする請求項２に記載のエネルギー集束型健康治療機器。
【請求項４】
前記排気口が、前記エアガイドの側壁、または前記エアガイドと前記空気吐出口との接続位置に設けられている、ことを特徴とする請求項１に記載のエネルギー集束型健康治療機器。
【請求項５】
前記エアガイドにおける患者に近接する端面に、少なくとも一つの孔が設けられている、ことを特徴とする請求項１に記載のエネルギー集束型健康治療機器。
【請求項６】
前記エネルギー集束手段が銅、銀またはカーボンファイバ製のリングである、ことを特徴とする請求項１に記載のエネルギー集束型健康治療機器。
【請求項７】
前記加熱手段が電熱線、電熱管または遠赤外線管などである、ことを特徴とする請求項１に記載のエネルギー集束型健康治療機器。
【請求項８】
前記ハウジングには操作に便利なハンドルが設けられるとともに、前記ハンドル上には電源スイッチが設けられている、ことを特徴とする請求項１に記載のエネルギー集束型健康治療機器。
【請求項９】
前記エアガイドの先端には、患者の皮膚に密着するガイドトップが装着されており、このガイドトップの端面には空気吐出口が均一に配設されている、ことを特徴とする請求項１に記載のエネルギー集束型健康治療機器。
【請求項１０】
前記エアガイドの先端には、前端が管状のグァシャーヘッドが装着されている、ことを特徴とする請求項１に記載のエネルギー集束型健康治療機器。
【考案の詳細な説明】
【技術分野】
【０００１】
本考案は健康増進装置に関し、特に熱エネルギーを用いた健康増進機器に関する。
【背景技術】
【０００２】
現在、国内外で一般的に使用されている局部の消炎、痛み止め、血行促進の方法は薬物療法または物理療法である。一般的な物理療法は遠赤外線、磁気エネルギーなどといった多種の手法で、患部に対して消炎、痛み止めまたは血行促進の作用をもたらしているが、このような療法の遠赤外線、磁気エネルギーの発生装置は複雑で、コストが嵩んでしまううえ、その効果は理想的なものではない。一方、我が国における伝統的な物理療法には鍼灸、加熱治療などがあり、これら療法は確かに一定の効果をもたらすものの、これら療法はいずれも手作業となるので、方法が粗雑で、作業が繁雑となり、熟練していない場合には、患者が刺し傷や火傷を負ってしまうことがあり、ある程度の危険性があった。
【考案の開示】
【考案が解決しようとする課題】
【０００３】
本考案が解決すべき技術的な課題は、構造が簡単で、患者の患部をゆっくりと加熱でき、漢方と西洋医学を結合したエネルギー集束型健康治療機器を提供するところにある。
【０００４】
本考案がその技術的な課題を解決するのに採用した技術的方法とは、両端にそれぞれ空気吸入口および空気吐出口を設けたハウジングと、前記ハウジング内に取り付けられている送風手段および発熱手段と、一端が前記空気吐出口の位置に設けられ、他端が患者の皮膚に密着する中空のエアガイドと、前記エアガイド上に設けられているエネルギー集束手段と、を備え、前記エアガイド上には排気口が設けられている、エネルギー集束型健康治療機器を提供するものである。
【０００５】
上記したエネルギー集束型健康治療機器のエアガイドにおける患者の皮膚に近接する一端に温度センサが設けられており、対応する前記ハウジング内には前記センサに電気的に接続されている温度制御回路装置が設けられている。前記温度制御回路装置は前記送風手段および前記発熱手段に電気的に接続されるとともに、前記温度センサが検出した温度に基づいて、前記送風手段および前記発熱手段の電力を調節する。
前記エネルギー集束型健康治療機器の前記排気口は前記エアガイドの側壁、または前記エアガイドと前記空気吐出口との接続位置に設けられている。
前記エネルギー集束型健康治療機器のエアガイドにおける患者に近接する端面に、少なくとも一つの孔が設けられている。
【０００６】
前記エネルギー集束型健康治療機器の前記エネルギー集束手段は銅、銀またはカーボンファイバ製のリングである。前記加熱手段は電熱線、電熱管などである。
【０００７】
前記エネルギー集束型健康治療機器の前記ハウジングには操作に便利なハンドルが設けられるとともに、前記ハンドル上には電源スイッチが設けられている。
【０００８】
前記エネルギー集束型健康治療機器の前記エアガイドの先端には、患者の皮膚に密着するガイドトップが装着されており、このガイドトップの端面には空気吐出口が均一に配設されている。
【０００９】
前記エネルギー集束型健康治療機器の前記エアガイドの先端には、前端が管状のグァシャーヘッドが装着されている。
【００１０】
従来技術と比べて、本考案のエネルギー集束型健康治療機器では送風手段が吸い込んだ空気を加熱手段で加熱し、更に空気吐出口からエアガイドおよびガイドトップを介して患者の皮膚表面に吹き付けるとともに、排気口から熱風を逃すことで、患者の皮膚をゆっくりと加熱することができるため、患者が火傷することはなく、安全で信頼性が高いという長所を備えている。しかもエアガイド内に設けられているエネルギー集束手段を熱風によって加熱して、エネルギー集束手段が発生した遠赤外線、磁気エネルギーおよび熱エネルギーまたはマイナスイオンなどの各種エネルギーを集束または集中することができ、各種エネルギーを集中させると同時にエネルギー線を出射することで、新陳代謝を促進し、血液の循環および各種の循環系統の流れをスムーズにし、そして免疫機能のバランスを図り、漢方と西洋医学とを結合して優れた健康増進効果をもたらすことができる。しかも、すでに免疫のバランスを失った、または阻害されている人体における各循環系統および器官が迅速に改善される。排気口にはシャッタ板が更に設けられており、シャッタ板の調整することで排気口の大きさを変えることで、排気の風量を変えて、空気吐出口の温度を調整する目的を達成する。
【考案を実施するための最良の形態】
【００１１】
以下、図面を併せて、本考案のエネルギー集束型健康治療機器に対するより詳細な説明を行う。
【００１２】
図１に示すように、これは本考案のエネルギー集束型健康治療機器の具体的な実施例である。この実施例では、両端にそれぞれ空気吸入口１１および空気吐出口１２を有するハウジング１３と、前記ハウジング１３の空気吐出口１２の位置に装着されている中空のエアガイド１４とを備えている。この実施例においては、前記ハウジング１３が概ね円筒状をなし、その内部には送風手段１５および加熱手段１６が設けられている。このうち、前記加熱手段１６は電熱線、電熱管、遠赤外線管などといった電熱素子とすることができる。外部からの電源により前記送風手段１５および加熱手段１６のために電源を供給する。前記健康治療機器の使用の利便性を図るために、前記ハウジング１３には操作に便利なハンドル１７を更に設けるとともに、ハンドル１７には電源スイッチ１８を設けることもできる。前記送風手段１５は外部の冷たい空気を前記ハウジング１３内に吸い込むとともに、同時に前記加熱手段１６で空気を加熱して、前記送風手段１５の作用により前記空気吐出口１２から吹き出し、前記エアガイド１４を介して患者の皮膚に吹き付ける。
【００１３】
前記エアガイド１４内にはエネルギー集束手段１９が更に設けられており、空気吐出口１２から吹き出した熱い空気で加熱されることで、健康増進に役立つ赤外線、磁気エネルギー、熱エネルギーおよびマイナスイオンなどを発生させるとともに、各種エネルギーを集束または集中して、各種エネルギーを集中させると同時にエネルギー線を出射することで、優れた健康増進効果をもたらす。本実施例においては。前記エアガイド１４は貫通した円筒体であり、前記ハウジング１３の空気吐出口１２の外周に装着されている。当然のこと、前記エアガイド１４は、患者に接触する端面に複数の孔２０を設けても良い。同時に、エアガイド１４における前記ハウジング１３に装着する部分に排気口２１を設けることで、エアガイド１４内の熱気を逃すことができる。当然のこと、排気口２１は前記エアガイド１４の側壁に設けても良い。
【００１４】
使用に際しては、前記エアガイド１４の開放した一端を患者の皮膚に密着させて、電源を投入し、前記送風手段１５および発熱手段１６を作動させて、外部の空気を空気吸入口１１から前記ハウジング１３に取り込んで加熱し、空気吐出口１２、エアガイド１４およびガイドトップ２５またはグァシャーヘッド２６を介して患者の皮膚に吹き付ける。しかも熱風は前記排気口２１から排出され、エアガイド１４内の温度が急速に高くなることはないので、エアガイド１４内の温度がゆっくりと上昇して、患者の皮膚においても適温にまでゆっくりと上昇する。これにより血流、リンパ液の循環を促すので、リューマチ、関節炎などに優れた治療効果をもたらす。同時に、熱風の加熱によって、前記エネルギー集束手段１９が遠赤外線、磁気エネルギー、熱エネルギー、マイナスイオンなどのエネルギー線を発生させるとともに、各種エネルギーを集束または集中して、各種エネルギーを集中させると同時にエネルギー線を出射することで、優れた健康増進効果をもたらす。
【００１５】
安全性をより一層高めるために、エアガイド１４内に温度センサ２２を設けて、対応する前記ハウジング１３内に温度制御回路装置２３を設けても良い。前記温度制御回路装置２３は温度センサ２２、送風手段１５、発熱手段に電気的に接続されている。温度センサ２２によりエアガイド１４内の温度を測定し、温度が所定値に達したとき、前記温度制御回路装置２３により前記送風手段１５または前記発熱手段の電力を制御するため、前記エアガイド１４内の温度が高くなりすぎることはないので、患者の皮膚が火傷するという事態防止する。
【００１６】
図８に示すように、これは温度制御の温度制御回路装置の回路図である。図中、温度センサはサイリスタＳ４であり、Ｒ９およびＲ８はそれぞれ高温レンジおよび低温レンジの初期設定値の抵抗器である。温度制御回路装置はＲ４〜Ｒ７、サイリスタＳ３およびキャパシタＣを備えている。双方向サイリスタＳ１で実行回路を構成している。当然のこと、その他の回路形態でこれを実現してもよい。
【００１７】
前記温度制御回路装置の動作過程は次のとおりである。温度が、設定されているスイッチング温度未満のとき、サイリスタがオープン状態となり、Ｒ４〜Ｒ７に同位のトリガ信号が発生して、サイリスタＳ３を導通する。これと同時に、双方向サイリスタＳ１も導通されて、交流電流の正方向の半周通過時にキャパシタＣを充電し、正方向の半周が負方向の半周に変わった瞬間に、キャパシタＣが放電する。この電流がＳ１をトリガして、正・負方向の半周のいずれでもＳ１を導通させることになる。温度が所定値にまで上昇すると、Ｓ４が導通して、Ｓ３はトリガ信号によりバイパスされオープンし、Ｓ１にはトリガ信号がなくなり発熱手段への電力供給が停止するとともに、自然に放熱して温度が下がり、そして温度が所定値未満となったときに、Ｓ４は導通状態からオープン状態となるので、Ｓ３、Ｓ１を導通させて、発熱手段に電力を供給して加熱する。
【００１８】
図７に示すように、これは本考案のエネルギー集束型健康治療機器の他の実施例である。上記実施例と比べると、その相違点は次のとおりである。エアガイド１４の一端を前記ハウジング１３の空気吐出口１２内に固定し、その他端が前記空気吐出口１２として延出して患者の皮膚に接触する。そしてエネルギー集束手段１９はエアガイド１４の外周に装着される。同時に、保護カバー２４を前記エアガイド１４の外周に設けて、エアガイド１４にうっかり触れてしまい火傷を負ってしまうということを防止している。
図２に示すように、これは本考案のエネルギー集束型健康治療機器の更に他の実施例である。相違点は、エアガイド１４の先端にガイドトップ２５（図３、４に示す）を装着したところであり、このガイドトップ２５の端面に複数の孔２０を設けており、ガイドトップ２５を皮膚に接触させることで、効果を高めている。ガイドトップ２５は金属またはカーボンファイバ製とすることができる。また、エアガイド１４の先端にグァシャーヘッド２６（図５、６に示す）を装着し、グァシャー治療を行う。グァシャーヘッド２６は金属またはカーボンファイバ製とすることができ、その端部は円弧状となっている、ガイドトップ２５およびグァシャーヘッド２６は交換することができる。
前記実施例は本考案に対するより詳細な解説および説明であって、開示している具体的な形式に限定されるものではなく、これを基本として本考案に行う何からの改善は本考案の保護範囲にあるものと見なされる。
【図面の簡単な説明】
【００１９】
【図１】本考案のエネルギー集束型健康治療機器の断面概略図であり、構造その一を示している。
【図２】本考案のエネルギー集束型健康治療機器におけるエアガイドの端面概略図であり、エアガイドの先端にガイドトップが装着されている構造その二を示している。
【図３】図２におけるガイドトップの概略図である。
【図４】図３におけるＡ方向から見た図である。
【図５】本考案におけるグァシャーヘッドの概略図であり、ガイドトップに代えてグァシャーヘッドを用いることができるものを示している。
【図６】図５におけるＢ方向から見た図である。
【図７】本考案のエネルギー集束型健康治療機器の断面概略図であり、構造その三を示している。
【図８】図１、図２または図７の回路原理図である。
【図１】
0003140703.tif 000003
【図２】
0003140703.tif 000004
【図３】
0003140703.tif 000005
【図４】
0003140703.tif 000006
【図５】
0003140703.tif 000007
【図６】
0003140703.tif 000008
【図７】
0003140703.tif 000009
【図８】
0003140703.tif 000010